(57)【要約】【目的】  単一の表示装置によって複数の二次元画像を同時に表示することが可能なマルチ画面表示装置を提供する。【解決手段】  複数画面の平面画像の各々を分割した複数の平面画像要素を含むマルチ画面信号に基づいて表示をなす画像表示パネルと、平面画像要素に対応する微小開口部を有する表示制御パネルと、マルチ画面信号のサブフレーム期間ごとに微小開口部が選択的に開状態となるよう開口駆動制御をなす制御パネルコントローラと、画像表示装置の観察位置からの角度に応じて同一画面の平面画像の異なる平面画像要素が当該開状態の微小開口部を介して当該観察位置から観察されるように画像表示パネルに表示される平面画像要素の表示更新を微小開口部の開口駆動に応じて行う表示パネルコントローラと、を有している。【選択図】  図７
2006145716.tif 000002
【特許請求の範囲】
【請求項１】
複数画面の画像を同時に表示する画像表示装置であって、
前記複数画面の平面画像の各々を分割した複数の平面画像要素を含むマルチ画面信号に基づいて表示をなす画像表示パネルと、
前記平面画像要素に対応する微小開口部を有する表示制御パネルと、
前記マルチ画面信号のサブフレーム期間ごとに前記微小開口部が選択的に開状態となるよう開口駆動制御をなす制御パネルコントローラと、
前記画像表示装置の観察位置からの角度に応じて同一画面の平面画像の異なる平面画像要素が開状態の微小開口部を介して前記観察位置から観察されるように前記画像表示パネルに表示される平面画像要素の表示更新を前記微小開口部の開口駆動に応じて行う表示パネルコントローラと、を有することを特徴とする画像表示装置。
【請求項２】
前記マルチ画面信号に含まれる画面数を検出する検出部を有することを特徴とする請求項１に記載の画像表示装置。
【請求項３】
前記制御パネルコントローラは、前記画面数に応じて前記微小開口部の開口度を変更することを特徴とする請求項２に記載の画像表示装置。
【請求項４】
前記表示パネルコントローラは、前記画面数に応じて前記画像表示パネルの輝度を変更することを特徴とする請求項２に記載の画像表示装置。
【請求項５】
前記制御パネルコントローラは、前記マルチ画面信号に含まれる画面数が１である場合に前記表示制御パネルの全ての微小開口部の開口度を増加させることを特徴とする請求項２に記載の画像表示装置。
【請求項６】
前記制御パネルコントローラは、前記マルチ画面信号に含まれる画面数が１である場合に前記表示制御パネルの全ての微小開口部を開くことを特徴とする請求項２に記載の画像表示装置。
【発明の詳細な説明】
【技術分野】
【０００１】
本発明は、複数の二次元画像を同時に表示することが可能なマルチ画面表示装置に関する。
【背景技術】
【０００２】
高精細度テレビ等に代表される放送技術や映像技術の進展に伴い、立体的に映像表示を行う三次元表示方式及び装置の研究開発が近年活発に進められている。
【０００３】
このような三次元（立体）映像の表示方法として、インテグラル・フォトグラフィ（Integral Photography:ＩＰ）が知られている。インテグラル・フォトグラフィを利用した立体表示装置として、マルチプレックス・ピンホール・スキャニング（Multiplex Pinhole Scanning）型の三次元表示装置がある（例えば、特許文献１〜３参照）。かかる三次元画像表示装置は、画像表示パネル及び表示制御パネルを有している。このような三次元表示装置においては、表示制御パネルは多数の微小透光部を有し、その背面に該微小透光部に対応して小画像を表示する多数の画像表示部を有する画像表示パネルが設けられている。
【０００４】
かかる表示装置において三次元表示を行う場合、微小透光部（微小開口部）の開口位置を移動するとともに、該微小開口部から見える小画像（平面画像要素）を該微小開口部の移動に合わせて更新させる。このように微小開口部の開口位置の移動に同期させて平面画像要素を更新させることによって立体的な表示を行うことを意図している。
【０００５】
しかしながら、従来、かかる表示装置を用いて複数の二次元画像を同時に表示する装置、すなわちマルチ画面表示装置は実現されていなかった。
【特許文献１】特許第２７６１８２９号公報（第３頁、図１）
【特許文献２】特開平７−５６１１２号公報（第４頁、図１）
【特許文献３】特開平９−７３１４３号公報（第５頁、図１）
【発明の開示】
【発明が解決しようとする課題】
【０００６】
本発明が解決しようとする課題には、上記した問題が１例として挙げられる。本発明は、上述した問題点に鑑みてなされたものであり、本発明は、単一の表示装置によって複数の二次元画像を同時に表示することが可能なマルチ画面表示装置を提供することを目的とする。
【課題を解決するための手段】
【０００７】
本発明による立体画像表示装置は、複数画面の画像を同時に表示する画像表示装置であって、複数画面の平面画像の各々を分割した複数の平面画像要素を含むマルチ画面信号に基づいて表示をなす画像表示パネルと、平面画像要素に対応する微小開口部を有する表示制御パネルと、マルチ画面信号のサブフレーム期間ごとに微小開口部が選択的に開状態となるよう開口駆動制御をなす制御パネルコントローラと、画像表示装置の観察位置からの角度に応じて同一画面の平面画像の異なる平面画像要素が当該開状態の微小開口部を介して当該観察位置から観察されるように画像表示パネルに表示される平面画像要素の表示更新を微小開口部の開口駆動に応じて行う表示パネルコントローラと、を有することを特徴としている。
【発明を実施するための最良の形態】
【０００８】
以下、本発明の実施例について図面を参照しつつ詳細に説明する。なお、以下に示す実施例において、等価な構成要素には同一の参照符を付している。
【実施例１】
【０００９】
図１は、本発明の実施例１であるマルチ画面表示装置１０の構成を模式的に示すブロック図である。マルチ画面表示装置１０は、画像表示パネル１１、表示制御パネル１２、及び画像表示パネル１１を駆動する表示パネル・行ドライバ（以下、ＤＰ・行ドライバという。）１５及び表示パネル・列ドライバ（以下、ＤＰ・列ドライバという。）１７、入力端１４から入力された画像データが書き込まれるメモリである画像ＲＡＭ（ビデオＲＡＭ）１８、表示制御パネル１２を駆動する制御パネル・行ドライバ（以下、ＣＰ・行ドライバという。）２１及び制御パネル・列ドライバ（以下、ＣＰ・列ドライバという。）２３を有している。マルチ画面表示装置１０の画像表示パネル１１、表示制御パネル１２、ＤＰ・行ドライバ１５及びＤＰ・列ドライバ１７、ビデオＲＡＭ１８、ＣＰ・行ドライバ２１及びＣＰ・列ドライバ２３の基本的な構成は、マルチプレックス・ピンホール・スキャニング（Multiplex Pinhole Scanning）型インテグラル・フォトグラフィ（ＭＰＳ−ＩＰ）方式の三次元表示装置と同様である。
【００１０】
画像表示パネル１１は、行信号線Ａ１〜Ａｍを介してＤＰ・行ドライバ１５により、また、列信号線Ｂ１〜Ｂｎを介してＤＰ・列ドライバ１７により駆動される。なお、行信号線Ａ１〜Ａｍ及び列信号線Ｂ１〜Ｂｎは後述するマルチ画面表示要素（マルチ表示要素）に対応している。従って、行信号線Ａ１〜Ａｍの各々は、画像表示パネル１１の１つ以上の走査線に対応し、列信号線Ｂ１〜Ｂｎの各々は画像表示パネル１１の１つ以上のデータ線に対応している。
【００１１】
表示制御パネル１２は、行信号線Ｃ１〜Ｃｍを介してＣＰ・行ドライバ２１により、また、列信号線Ｄ１〜Ｄｎを介してＣＰ・列ドライバ２３により駆動される。
【００１２】
また、マルチ画面表示装置１０には、上記ドライバ１５、１７を制御して画像表示に関する制御を行う表示パネルコントローラ２５、及び上記ドライバ２１及び２３を制御する制御パネルコントローラ２５Ａが設けられている。
【００１３】
表示パネルコントローラ２５は、マルチ画面表示装置１０の入力端１４から入力されたマルチ画面データ信号（ビデオデータ信号）ＶＳに基づいて画像表示パネル１１の制御をなす。マルチ画面データ信号ＶＳは、複数の同一又は異なるコンテンツ（番組等）の二次元画像データを含んでいる。すなわち、マルチプレックス・ピンホール・スキャニング型インテグラル・フォトグラフィ（ＭＰＳ−ＩＰ）方式の三次元表示装置に用いられるデータ（３Ｄ画像データ）は、異なる視点（三次元表示装置の観察位置）から見た対象物の複数の二次元画像の各々を分割した複数の二次元画像要素を含むように構成されるが、マルチ画面表示装置１０に用いられるマルチ画面データ信号ＶＳは、同一又は異なるコンテンツ（番組等）からなる複数の画面の二次元画像の各々を分割した複数の二次元画像要素を含むように構成されている。なお、当該マルチ画面データ信号ＶＳがマルチ画面表示装置１０の入力端１４に直接入力されない場合には、表示パネルコントローラ２５が複数の二複数画面のデータ信号を受信し、当該複数画面のデータ信号から上記マルチ画面データ信号ＶＳを生成するようにしてもよい。この場合、マルチ画面データ信号ＶＳは表示パネルコントローラ２５からビデオＲＡＭ１８へ供給される。あるいは、複数の画面データ信号からマルチ画面データ信号を生成する専用のマルチ画面データ生成器を設けるようにしてもよい。
【００１４】
ビデオＲＡＭ１８へのデータの書き込み、及びＲＡＭ１８からのデータの読み出し等のビデオＲＡＭ１８の制御は表示パネルコントローラ２５によってなされる。また、ＤＰ・列ドライバ１７は、表示パネルコントローラ２５の制御によりビデオＲＡＭ１８から画像データを読み込む。制御パネルコントローラ２５Ａは表示パネルコントローラ２５と相互接続され、マルチ画面表示コントローラとしての機能を有する。すなわち、表示パネルコントローラ２５及び制御パネルコントローラ２５Ａの協働により画像表示パネル１１及び表示制御パネル１２間の同期、タイミング制御などを含むマルチ画面表示装置１０全体の制御がなされる。
【００１５】
図２に示すように、画像表示パネル１１においては、ｍ行ｎ列のマトリクス状に微小なマルチ画像が表示される領域が配されている。以下においては、かかる微小なマルチ画像表示領域をマルチ表示要素と称する。画像表示パネル１１は、図中に示すように、ｘ方向（走査方向）を水平方向、ｙ方向を垂直方向として視聴者が視聴するように設置される。以下においては、画像表示パネル１１が有機エレクトロルミネセンス（ＥＬ）素子を用いたモノクロームＥＬ表示パネルにより構成されている場合を例に説明する。ＥＬ素子は高速動作が可能であるため、特にマルチ表示パネルに適している。なお、他の種類の表示素子を用いた場合、及びＲＧＢ表示素子を用いたカラー表示パネル等にも容易に適用が可能である。
【００１６】
図３は、図２に示す画像表示パネル１１の任意の第ｊ行第ｋ列（ｊ＝１〜ｍ、ｋ＝１〜ｎ）のマルチ表示要素Ｑjkの構成を模式的に示している。マルチ表示要素Ｑjkは、さらに複数の二次元表示要素（２Ｄ表示要素）から構成されている。なお、以下において、添え字”ｊｋ”等について、記載の明確さのため、”ｊ，ｋ”等のようにも示す場合がある。以下においては、１つのマルチ表示要素が、水平方向（ｘ方向）において区画された４個の２Ｄ表示要素Ｐ１−Ｐ４から構成されている場合を例に説明する。
【００１７】
２Ｄ表示要素Ｐ１−Ｐ４は行信号線Ａｊに接続されている。また、２Ｄ表示要素Ｐｉ（ｉ＝１〜４）は列信号線Ｂkiに接続されている。画像表示パネル１１は、複数のＥＬ素子をｘｙ平面内に配置した構成を有し、各ＥＬ素子は走査線及びデータ線が交差する位置に配されている。２Ｄ表示要素Ｐｉの各々には微小な平面画像が表示される。従って、行信号線Ａｊ（Ｊ＝１〜ｍ）は、画像表示パネル１１における１つ以上の走査線からなる信号線群であり、また、列信号線Ｂki（ｉ＝１〜４）は１つ以上のデータ線からなる信号線群であり、列信号線Ｂｋ（ｋ＝１〜ｎ）は複数のデータ線からなる信号線群である。
【００１８】
図４は、表示制御パネル１２の構成を模式的に示す図であり、画像表示パネル１１も併せて示している。表示制御パネル１２は、画像表示パネル１１のマルチ表示要素Ｑjk（ｊ＝１〜ｍ、ｋ＝１〜ｎ）に対応して配されたマルチ表示制御要素Ｔjk（ｊ＝１〜ｍ、ｋ＝１〜ｎ）から構成されている。そして、表示制御パネル１２は、マルチ表示制御要素（以下、単にマルチ制御要素という）Ｔjkがマルチ表示要素Ｑjkに対応するようにして画像表示パネル１１の前面に取り付けられている。すなわち、画像表示パネル１１及び画像表示パネル１１の前面に配された表示制御パネル１２を組み合わせてディスプレイ装置が構成される。なお、以下の説明においては、かかるディスプレイ装置をマルチディスプレイ（マルチディスプレイ装置）と称する。
【００１９】
図５は、上記したマルチ制御要素Ｔjkの詳細な構成を模式的に示す図である。表示制御パネル１２のマルチ制御要素Ｔjk（ｊ＝１〜ｍ、ｋ＝１〜ｎ）は、微小な開口部であるスリットＳ１〜Ｓ４を有している。スリットＳ１〜Ｓ４は、画像表示パネル１１の２Ｄ表示要素Ｐ１−Ｐ４に対応するよう構成され、垂直方向（ｙ方向）を長辺とする長方形状を有するスリット開口である。
【００２０】
なお、本実施例においては、微小開口部としてスリットを用いてマルチ画面表示を行う場合を例に説明するが、ピンホール、マイクロレンズ等を微小開口部として配した表示制御パネルを用いてマルチ画面表示を行うこともできる。
【００２１】
図６は、図５に示すマルチ制御要素Ｔjkの線Ｗ−Ｗに関する断面図である。マルチ制御要素Ｔjk（ｊ＝１〜ｍ、ｋ＝１〜ｎ）には、スリットＳ１〜Ｓ４を開閉するシャッタＳＨ１〜ＳＨ４が設けられている。また、シャッタＳＨｉ（ｉ＝１〜４）は、シャッタＳＨｉの各々を駆動する圧電素子などのアクチュエータ（図示しない）に結合されている。当該アクチュエータの各々は、図５に示すように、行信号線Ｃｊ及び列信号線Ｄkiに接続され、これらの信号線を介してＣＰ・行ドライバ２１及びＣＰ・列ドライバ２３から供給されるシャッタ制御信号に基づいて、シャッタＳＨｉ（ｉ＝１〜４）を駆動するように構成されている。図６は、例えば、シャッタＳＨ２のみが開かれ、他のシャッタＳＨ１，ＳＨ３，ＳＨ４が閉じられている場合を図示している。また、図５に示すように、列信号線Ｄｋは、複数の列信号線Ｄki（ｉ＝１〜４）からなる信号線群である。
【００２２】
本実施例においては、マルチ制御要素Ｔjkの微小開口部（スリット）をメカニカルシャッタを用いて実現する場合を例に説明するが、他の方式の微小開口部を用いても良い。例えば、微小開口部の開閉を電気的に行うことが可能な液晶パネル等を用いることもできる。
【００２３】
次に、図面を参照してマルチ画面表示の原理及び駆動動作について説明する。なお、４つの番組１〜４（Prog１〜Prog４）の二次元画像データを含むマルチ画面を同時に表示する場合を例に説明する。すなわち、図７に示すように、異なる視点（三次元表示装置の観察位置ＶＰ１〜ＶＰ４）から見た場合に、各観察位置に対応した番組１−番組４（Prog１〜Prog４のいずれか）の画面を同時に見ることができるようにマルチ表示要素Ｑjk内に各番組の２Ｄ画像要素が配される。
【００２４】
図８は、表示制御パネル１２のマルチ表示要素Ｑjkに対応する２Ｄ画像Ｖjkを２Ｄ画像要素に分割する場合について模式的に示す図である。具体的には、用意された４つの番組１〜４（Prog１〜Prog４）の二次元画像（２Ｄ画像）の各々は、マルチ表示要素Ｑjkに対応する大きさの２Ｄ画像Ｖjkに分割される。さらに、当該分割されたｐ番目の番組の２Ｄ画像（２Ｄ分割画像）Ｖjk(p)は、微小開口部（スリット）に対応させて、垂直方向（ｙ方向）を長辺とする矩形状（帯状）の２Ｄ画像要素Ｖjk(p,q)に分割される。ここで、ｐは上記４視点（ＶＰ１〜ＶＰ４）に対応するインデックスであり、ｐ＝１〜４である。また、同時に、インデックスｐは上記４つの番組Prog１〜Prog４（画面）にも対応している。すなわち、各視点（ＶＰ１〜ＶＰ４）からそれぞれ番組（Prog１〜Prog４）を同時に見る（視点ＶＰ１からProg１を、視点ＶＰ２からProg２を、というように）ことを意味している。
【００２５】
また、ｑは上記矩形状の２Ｄ画像要素の当該２Ｄ分割画像内の（例えば、図中ｘ方向における）位置に対応するインデックスである。以下においては、マルチ表示要素Ｑjkに対応する２Ｄ分割画像Ｖjk(p)及び２Ｄ画像要素Ｖjk(p,q)について一般的に説明するが、説明及び理解の容易さのため、２Ｄ分割画像Ｖjk(p)についてはＶ(p)と略記し、Ｖjk(p)をさらに分割した２Ｄ画像要素Ｖjk(p,q)（ｑ＝１〜４）については、Ｖ(p,q)と略記して説明する。つまり、Ｖ(p,q)は、ｐ番目の番組ｐ（Prog(p)）の２Ｄ分割画像Ｖ(p)における（図中、ｘ方向における）q番目の分割位置の２Ｄ画像要素である。つまり、図８に示すように、例えば、ｐ番目の番組の２Ｄ分割画像Ｖ(p)は、４つの２Ｄ画像要素Ｖ(p,1)〜Ｖ(p,4)から構成されている。
【００２６】
次に、本実施例におけるマルチ画面表示の駆動動作について説明する。図９は、微小開口部（スリット）の開口位置の移動及び２Ｄ画像要素の更新動作を模式的に示すタイムチャートである。なお、以下では、スリットＳ１〜Ｓ４がこの順序で順次開口されていく場合について説明する。また、線順次方式によって表示画像データの表示がなされ、フレーム周波数が３０Ｈｚである場合を例に説明する。つまり、微小開口部の開閉（開口位置の移動）が１２０（＝３０×４）Ｈｚでなされる場合を例に説明する。すなわち、フレーム期間は複数の（本実施例においては４）サブフレーム期間に分割され、当該サブフレーム周波数（開口駆動周波数）は１２０Ｈｚである。なお、表示コントローラ２５が当該サブフレーム分割及びサブフレーム期間を設定するサブフレーム設定部として機能する。
【００２７】
図９を参照すると、第１サブフレーム（ＳＦ１）において、まずスリットＳ１が開かれる。なお、このとき、他のスリットＳ２〜Ｓ４は閉じられている。
【００２８】
図１０は、画像表示パネル１１及び表示制御パネル１２をｙ方向（すなわち、マルチ画面表示装置１０を視る視聴者の上方）から見た図であり、当該視聴者（ユーザ）のそれぞれ視点ＶＰ１〜ＶＰ４から微小開口部（スリットＳ１）を介して見える２Ｄ画像要素について示している。
【００２９】
第１サブフレーム（ＳＦ１）において、画像表示パネル１１のマルチ表示要素Ｑjkにおける２Ｄ表示要素Ｐｉ（ｉ＝１〜４）には、視点ＶＰ１〜ＶＰ４からそれぞれ番組（Prog１〜Prog４）の２Ｄ画像要素が見えるように表示がなされる。より具体的には、視点ＶＰ１の角度からスリットＳ１を介して見える２Ｄ表示要素は当該表示要素Ｑjkに隣接するＱj,k-1（Ｑjkの左側）のＰ４であり、当該２Ｄ表示要素Ｐ４には、番組１（Prog１）の画像Ｖ(1)における１番目の分割位置の２Ｄ画像要素Ｖ(1,1)が表示される。また、視点ＶＰ２からスリットＳ１を介して見える２Ｄ表示要素は表示要素ＱjkのＰ１であり、当該２Ｄ表示要素Ｐ１には、視点ＶＰ２に対応する画面である番組２（Prog２）の画像Ｖ(2)における１番目の分割位置の２Ｄ画像要素Ｖ(2,1)が表示される。同様に、視点ＶＰ３、ＶＰ４からスリットＳ１を介して見える表示要素Ｑjkの２Ｄ表示要素Ｐ２、Ｐ３には画像Ｖ(3)、Ｖ(4)における１番目の分割位置の２Ｄ画像要素Ｖ(3,1)、Ｖ(4,1)が表示される。
【００３０】
なお、スリットＳ１を介して見える画像は２Ｄ表示要素に表示される画像に対して点対称に１８０°反転した関係を有するため、予め反転した画像が２Ｄ表示要素に表示されるように画像表示パネル１１は駆動される。この場合、予め各２Ｄ画像要素が反転されたマルチ画面データがマルチ画面表示装置１０の入力端１４から入力される。あるいは、表示パネルコントローラ２５によって２Ｄ画像要素に対応した反転制御によってビデオＲＡＭ１８に書き込まれてもよい。あるいは、ビデオＲＡＭ１８からの読み出しの際に表示パネルコントローラ２５によって反転制御がなされてもよい。
【００３１】
従って、第１サブフレーム（ＳＦ１）において、視点ＶＰｐ（ｐ＝１−４）からスリットＳ１を介してＶ(p,1)が見えるように画像表示パネル１１の表示制御がなされる。
【００３２】
次に、第２サブフレーム（ＳＦ２）において、スリットＳ１が閉じられ、スリットＳ２が開かれる。第１サブフレームと同様に、他のスリットＳ１，Ｓ３，Ｓ４は閉じられている。このとき、図１１に示すように、画像表示パネル１１に表示される２Ｄ画像要素の更新がなされる。なお、かかる２Ｄ画像要素の表示更新は、スリットの開口動作に同期してなされるのが好ましい。
【００３３】
より具体的には、視点ＶＰ１からスリットＳ２を介して見える２Ｄ表示要素は表示要素ＱjkのＰ１であり、当該２Ｄ表示要素Ｐ１には、番組１（Prog１）の画像Ｖ(1)における２番目の分割位置の２Ｄ画像要素Ｖ(1,2)が表示される。また、視点ＶＰ２からスリットＳ２を介して見える２Ｄ表示要素は表示要素ＱjkのＰ２であり、当該２Ｄ表示要素Ｐ２には、視点ＶＰ２に対応する画面である番組２（Prog２）の画像Ｖ(2)における２番目の分割位置の２Ｄ画像要素Ｖ(2,2)が表示される。同様に、視点ＶＰ３、ＶＰ４からスリットＳ１を介して見える表示要素Ｑjkの２Ｄ表示要素Ｐ３、Ｐ４には画像Ｖ(3)、Ｖ(4)における２番目の分割位置の２Ｄ画像要素Ｖ(3,2)、Ｖ(4,2)が表示される。
【００３４】
引き続き、順次、第３，４サブフレーム（ＳＦ３、ＳＦ４）において、それぞれスリットＳ３、Ｓ４が開かれる。そして、それぞれのサブフレーム期間において視点ＶＰｐからスリットＳ３、Ｓ４を介してＶ(p,3)、Ｖ(p,4)が見えるよう表示制御がなされる。これにより第１フレームの表示制御が終了する。
【００３５】
つまり、第１フレームにおいて、スリットの開口位置を順次移動させるとともに、開口されているスリットから分割された４つの２Ｄ画像要素Ｖ(p,1)〜Ｖ(p,4)の全て、すなわちＶ(p)（図８を参照）が眼の残像時間内に見えることになる。例えば視点ＶＰ１からは、Ｖ(１)＝Ｖjk(1)（ｊ＝１〜ｍ、ｋ＝１〜ｎ）、すなわち視点ＶＰ１に対応する番組（Prog１）の第１フレームの全体画像が見えることになる。第２フレームにおいても同様に、次のフレームデータ画像Ｖ'(１)＝Ｖ'jk(1)（ｊ＝１〜ｍ、ｋ＝１〜ｎ）、すなわち第２フレームの全体画像が見えることになる。このように第２フレーム以降においても同様に、そのフレームデータに基づいて表示制御がなされることにより、図７に示すように、視点（ディスプレイ装置の観察位置）ＶＰ１から視点ＶＰ１に対応する番組（Prog１）が見えるように動画表示がなされる。また、その他の視点ＶＰ２、ＶＰ３、ＶＰ４からはそれぞれ対応する番組２〜４（Prog２〜４）が番組１（Prog１）と同時に見えることになる。
【００３６】
以上説明したように、異なる視点（マルチ画面表示装置の観察位置）から個別の画面（番組等）の二次元画像を見ることができる。あるいは、複数の視聴者が表示装置全体に表示された同一又は異なる複数の画面（番組）を同時に見ることができる。なお、各番組、コンテンツに付随する音声出力の混声を回避することは種々の方法により可能である。例えば、各視聴者がヘッドホンを装着するようにしてもよいし、あるいは、指向性スピーカを用いることもできる。
【００３７】
上記したように、本発明のマルチ表示装置によれば、１の表示装置によって複数の画面（二次元画像）を同時に表示することが可能である。
【００３８】
なお、本実施例においては４つの異なる番組（画面）を同時に表示する場合を例にしたが、適宜変更して適用することができる。
【００３９】
一例として、４つの異なる番組（画面）のうち少なくとも２つが同一の番組であってもよい。例えば、２つの番組（Prog１、Prog２）をマルチ表示させ、視点ＶＰ１，３からはProg１が、視点ＶＰ２，４からはProg２が見えるようにしてもよい。
【００４０】
上記においては、マルチ制御要素Ｔjkが４つの微小開口部（スリットＳ１〜Ｓ４）を有している場合について説明したが、例えば、さらに制御要素Ｔjkの微小開口部の数を増やし、同時に視聴可能な画面（番組）の数を増加（例えば、６画面、８画面等）させることも可能である。
【００４１】
あるいは、微小開口部の数を所定数（例えば、８）とし、画面数に応じて微小開口部、２Ｄ表示要素Ｐｉを組み合わせて制御するようにしてもよい。例えば、画面数が８，４，又は１のとき、それぞれ１つ、２つ、又は８つの微小開口部及び２Ｄ表示要素を１組として制御することができる。
【実施例２】
【００４２】
図１２は、本発明の実施例２であるマルチ画面表示装置１０におけるマルチ制御要素の構成を模式的に示す断面図である。図６に示すマルチ制御要素と同様にスリットＳ１〜Ｓ４を開閉するシャッタＳＨ１〜ＳＨ４が設けられている。また、シャッタＳＨｉ（ｉ＝１〜４）は、シャッタＳＨｉの各々を駆動する圧電素子などのアクチュエータ（図示しない）に結合されている。
【００４３】
図６に示すマルチ制御要素と異なる点は、スリットの開口度を変化させることができるようにシャッタＳＨｉ、及びシャッタＳＨｉに結合されたアクチュエータ（図示しない）が構成されていることである。図６に示すマルチ制御要素の場合よりもさらに小さく又はさらに大きくスリットを開口させることができるように構成されている。なお、図１２は、図６に示す場合よりもスリットを大きく開口させた場合を模式的に示している。また、スリットの開口度は多段階で、又は連続的に変化させることができる。
【００４４】
かかるスリットの開口度の制御はＣＰ・行ドライバ２１及びＣＰ・列ドライバ２３から供給されるシャッタ駆動制御信号に基づいてなされる。なお、マルチ画面表示装置１０の他の構成要素は実施例１の場合と同様である。
【００４５】
本実施例におけるマルチ画面表示制御動作について図１３に示すフローチャートを参照しつつ以下に説明する。まず、表示パネルコントローラ２５は、入力端１４から入力されたビデオデータ信号ＶＳから当該データ信号ＶＳがマルチ画面データであるか否かを判別する（ステップＳ１１）。
【００４６】
データ信号がマルチ画面データであると判別された場合、すなわち画面（番組）の数が２以上であると判別された場合は、同時に表示する画面の数を検出し、当該画面数に応じた画像表示パネル１１の輝度を算出する。なお、当該画面のうち少なくとも２つが同一であってもよい。また、当該画面数に応じたスリットの開口度を確定し、かかる開口度指定信号を制御パネルコントローラ２５Ａに供給する（ステップＳ１２）。表示パネルコントローラ２５は、算出された輝度で表示をなすよう画像表示パネル１１を制御する。また、制御パネルコントローラ２５Ａは、当該指定された開口度となるようスリットを制御する。すなわち、上記画面数が少ない場合には、画像表示パネル１１の輝度を低下させる。また、上記画面数が少ない場合には、スリットの開口度を増加させる。表示パネルコントローラ２５及び制御パネルコントローラ２５Ａは、当該輝度、開口度でマルチ画面表示を行う（ステップＳ１３）。
【００４７】
他方、ステップＳ１１において単一画面の画像データであると判別された場合、すなわち単一の画面をディスプレイ装置の全面にフルスクリーン表示させる場合には、全てのスリットを開口させる信号、開口度を指定する信号を制御パネルコントローラ２５Ａに供給するとともに画像表示パネル１１の輝度を算出する（ステップＳ１４）。表示パネルコントローラ２５及び制御パネルコントローラ２５Ａは、全てのスリットを開口させるとともに、当該開口度及び輝度で画面表示（単一画面表示）を行う（ステップＳ１５）。
【００４８】
本実施例によれば、同時に表示される画面数に応じて、制御パネルのスリットの開口度及び表示パネルの輝度を調節することができ、表示品位及び消費電力を最適化することができる。
【００４９】
なお、上記した種々の実施例においては、２Ｄ表示要素Ｐｉを１次元（ｘ方向）に配した表示パネル、及び当該２Ｄ表示要素に対応する微小開口部（スリット）を制御パネルに設けた場合（図３）について説明したが、容易に２次元に配した場合に応用が可能である。例えば、表示パネルがｘ方向及びｙ方向に２Ｄ表示要素がマトリクス状に配された３Ｄ表示要素Ｑjkからなり、制御パネルが、当該２Ｄ表示要素に対応し、ｘ方向及びｙ方向に微小開口部（ピンホール等）がマトリクス状に配されたマルチ制御要素Ｔjkからなる場合に容易に適用が可能である。
【００５０】
なお、上記した実施例は適宜組み合わせることができる。また、実施例中において示した数値は例示であって、適宜変更して適用することができる。
【図面の簡単な説明】
【００５１】
【図１】本発明の実施例１であるマルチ画面表示装置の構成を模式的に示すブロック図である。
【図２】画像表示パネル及びマルチ表示要素を模式的に示す図である。
【図３】画像表示パネルのマルチ表示要素Ｑjk、及び当該マルチ表示要素を構成する２Ｄ表示要素を模式的に示す図である。
【図４】表示制御パネルの構成を模式的に示す図であり、画像表示パネルも併せて示している。
【図５】図４に示すマルチ制御要素Ｔjkの詳細な構成を模式的に示す図である。
【図６】図５に示すマルチ制御要素Ｔjkの線Ｗ−Ｗに関する断面図である。
【図７】観察位置ＶＰ１〜４からそれぞれ見える画面１−画面４（番組Prog１−４）を模式的に説明する図である。
【図８】表示制御パネルのマルチ表示要素Ｑjkに対応する２Ｄ画像Ｖjkを２Ｄ画像要素に分割する場合について模式的に示す図である。
【図９】微小開口部（スリット）の開口位置の移動及び２Ｄ画像要素の更新動作を模式的に示す図である。
【図１０】画像表示パネル及び表示制御パネルをｙ方向（すなわち、マルチ画面表示装置を視る視聴者の上方）から見た図であり、当該視聴者のそれぞれ視点ＶＰ１〜ＶＰ４から微小開口部（スリットＳ１）を介して見える２Ｄ画像要素（Prog１〜４）について示している。
【図１１】図１０に示す状態から開口部の位置をＳ１からＳ２に移動させるとともに、当該開口部の移動に対応させて表示される２Ｄ画像要素を更新した場合について示す図である。
【図１２】本発明の実施例２におけるマルチ制御要素の構成を模式的に示す断面図である。
【図１３】マルチ画面データに含まれる画面の数に応じてなされるマルチ画面表示制御の動作を示すフローチャートである。
【符号の説明】
【００５２】
１０  マルチ画面表示装置
１１  画像表示パネル
１２  表示制御パネル
１５  表示パネル・行ドライバ
１７  表示パネル・列ドライバ
１８  ＲＡＭ
２１  制御パネル・行ドライバ
２３  制御パネル・列ドライバ
２５  表示パネルコントローラ
２５Ａ  制御パネルコントローラ
【図１】
2006145716.tif 000003
【図２】
2006145716.tif 000004
【図３】
2006145716.tif 000005
【図４】
2006145716.tif 000006
【図５】
2006145716.tif 000007
【図６】
2006145716.tif 000008
【図７】
2006145716.tif 000009
【図８】
2006145716.tif 000010
【図９】
2006145716.tif 000011
【図１０】
2006145716.tif 000012
【図１１】
2006145716.tif 000013
【図１２】
2006145716.tif 000014
【図１３】
2006145716.tif 000015